(57)【要約】【課題】従来の携帯型テレビ等において、操作者の手の指で掴んで使用、操作されると、アンテナが、操作者の手や指によって覆われたり陰になってしまうことがあり、テレビ放送電波の受信に支障を生じ、正常に受信することが困難で、鮮明なテレビ放送番組を画像表示部に表示することができなくなることがあった。【解決手段】複数のアンテナユニット１０５と、複数のアンテナユニット１０５間の接続をオンオフするアンテナ接続スイッチ１０７と、アンテナ接続スイッチ１０７のオンオフを制御する接続コントローラ１０３と、複数のアンテナユニット１０５から給電点を選択する給電コントローラ１０４と、給電点コントローラ１０４と接続コントローラ１０３を制御してアンテナを構成する制御部１０９と、構成されたアンテナを使って通信する通信部１０８と、通信に関連した情報を表示する表示部１０１とで、携帯情報装置を構成する。【選択図】図１
2007142921.tif 000002
【特許請求の範囲】
【請求項１】
複数のアンテナユニットと、
前記複数のアンテナユニット間を電気的に接続／切断するアンテナ接続スイッチと、
前記アンテナ接続スイッチの接続／切断を制御する接続コントローラと、
前記複数のアンテナユニットから給電点を選択する給電コントローラと、
前記複数のアンテナユニットを使ってアンテナを構成するために前記給電点コントローラと前記接続コントローラとを制御する制御部と、
前記構成されたアンテナを使って通信する通信部と、
前記通信に関連した情報を表示する表示部と、
を有する携帯情報装置。
【請求項２】
前記複数のアンテナユニットは前記表示部の周囲または本携帯情報装置の外周部に配置される、
請求項１に記載の携帯情報装置。
【請求項３】
前記制御部は前記通信部による通信状況を検出し、その通信状況に対応して前記給電点コントローラと前記接続コントローラとの制御を行う、
請求項１又は請求項２に記載の携帯情報装置。
【請求項４】
前記制御部は前記通信に使用する電波の波長に対応して前記給電点コントローラと前記接続コントローラとの制御を行う、
請求項１から請求項３の何れか１項に記載の携帯情報装置。
【請求項５】
前記通信は、無線ＬＡＮによる通信、ｂｌｕｅｔｏｏｔｈによる通信、携帯電話のための通信、近距離無線通信による通信、テレビ放送の受信、の１つまたは複数である、
請求項１から請求項４の何れか１項に記載の携帯情報装置。
【発明の詳細な説明】
【技術分野】
【０００１】
本発明は、電波を使用して無線通信を行い、その通信に関連した情報を表示画面に表示する携帯情報装置に関するものである。
【背景技術】
【０００２】
従来の、電波を使用して無線通信を行い、その通信に関連した情報を表示画面に表示する携帯情報装置には、多くのものがあり、その一例は従来の携帯型テレビである。
【０００３】
例えば、従来の携帯型テレビの一例が、下記特許文献１に記載されている。
【０００４】
この従来の携帯型テレビ９００の外観と主要部の構成とを図１０に示す。
【０００５】
従来の携帯型テレビ９００は、ケース９０２に納められており、その前面が画像表示部９０１になっている。電源をオンオフするスイッチ（図示せず）や、チャンネル選択スイッチ（図示せず）や、音量スイッチ（図示せず）、画質調整スイッチ（図示せず）等は、ケース９０２の前面や後面、周囲等に配置されているが、本発明の本質とは直接関連しないので図示を省略している。
【０００６】
携帯型テレビ９００は、テレビ放送電波を受信するためにアンテナ９０９が必要で、そのアンテナ９０９には各種形状、各種構造のものが考えられるが、例えば、図１０に示すように、ケース９０２の内部の上部で、画像表示部９０１の上部に、横方向に長く配置されている。この長さは良く知られている通り、電波の波長の１／２、１／４等の長さであることが望ましく、なるべくこの長さに近くなるように設計されている。
【０００７】
また、ケース９０２の内部には、テレビ放送電波を受信し、ノイズの除去や増幅、選局、復号化、画像処理等を行う多くの電子回路とそれを構成する部品が備えられているが、これらについても、本発明の本質とは直接関連しないので図示を省略している。
【０００８】
あるいは、下記特許文献２には、従来の、無線通信アンテナを内蔵した携帯型情報機器が記載されている。この従来の携帯型情報機器では、本体に取り付けられた表示部と、表示部に設けられた複数の無線通信用ダイバーシティアンテナと、無線通信用ダイバーシティアンテナ間に設けられた無線通信用アンテナとを具備している。このような構成を採ることによって、通信に使用するアンテナを通信状況によって切り換えることができ、複数の無線システムに対応することができると同時に、最適なアンテナを選択することによって、通信状態を常に良好に保つことが可能になる。
【特許文献１】特開平６−３８１４０号公報
【特許文献２】特開２００２−７３２１０号公報
【発明の開示】
【発明が解決しようとする課題】
【０００９】
しかしながら、上記のような従来の、電波を使用して無線通信を行い、その通信に関連した情報を表示画面に表示する携帯情報装置では、携帯型という性質上、操作者の手（図１０では操作者の手９１０）の指で掴んで使用、操作されることが通常である。
【００１０】
そして、操作者の手の指で掴んで使用、操作されると、アンテナ（例えば、図１０のアンテナ９０９）が、操作者の手や指によって覆われたり陰になってしまうことがあり、テレビ放送電波の受信に支障を生じ、正常なテレビ放送電波を受信することが困難で、鮮明なテレビ放送番組を画像表示部９０１に表示することができなくなることがあった。
【００１１】
特に、操作者が手に金属製の腕時計をしていたり、指に金属製の指輪をしている時には、この支障はより大きなものとなることがあった。
【００１２】
また、上記のような従来の、予め複数のアンテナを用意しておき、状況に応じてこれらのアンテナを切り換えて使用する、無線通信アンテナを内蔵した携帯型情報機器のような方式では、予め複数のアンテナを機器に装着しておかなければならないため、ある程度のスペースが必要となることは避けられず、近年、携帯型情報機器がますます小型軽量化するなかで、このようなスペースを確保することは困難であった。
【００１３】
本発明は、このような課題を解決するために行われたもので、操作者の手の指で掴んで使用、操作された場合でも、アンテナが操作者の手や指によって覆われたり陰になってしまうことがなく、常に、正常に各種の通信を行うことができると共に、例えば、良好なテレビ放送電波を受信することが可能で、鮮明なテレビ放送番組を表示することができることを目的とするものである。
【００１４】
また、限られたスペースだけで、各種の通信に使用する電波や通信状況に対応できるアンテナと、これを使用した携帯情報装置を提供することを目的とするものである。
【課題を解決するための手段】
【００１５】
上記課題を解決するため、本特許出願に係る発明は下記の構成を採用する。
【００１６】
本特許出願に係る請求項１に記載の発明は、複数のアンテナユニットと、前記複数のアンテナユニット間を電気的に接続／切断するアンテナ接続スイッチと、前記アンテナ接続スイッチの接続／切断を制御する接続コントローラと、前記複数のアンテナユニットから給電点を選択する給電コントローラと、前記複数のアンテナユニットを使ってアンテナを構成するために前記給電点コントローラと前記接続コントローラとを制御する制御部と、前記構成されたアンテナを使って通信する通信部と、前記通信に関連した情報を表示する表示部と、を有する携帯情報装置である。
【００１７】
このような構成を採用することによって、操作者が手で掴んで使用、操作した場合でも、アンテナが操作者の手や指によって覆われたり陰になってしまうことがなく、常に、良好な電波を送受信することが可能になる。
【００１８】
本特許出願に係る請求項２に記載の発明は、前記複数のアンテナユニットは前記表示部の周囲または本携帯情報装置の外周部に配置される、請求項１に記載の携帯情報装置である。
【００１９】
このような構成を採用することによって、本体の大きさに対する画像表示部の大きさを最大限確保しながら、なおかつ全体の大きさを最大限抑えることが可能になる。
【００２０】
本特許出願に係る請求項３に記載の発明は、前記制御部は前記通信部による通信状況を検出し、その通信状況に対応して前記給電点コントローラと前記接続コントローラとの制御を行う、請求項１又は請求項２に記載の携帯情報装置である。
【００２１】
このような構成を採用することによって、操作者の手によって受ける電波の受信状況の変化に対応することもできるし、その他、電波の送信局の方向や距離、電波の出力状況や搬送状況、その他の各種状況に対応して、最も通信状況が良くなる状態に設定することが可能になる。
【００２２】
本特許出願に係る請求項４に記載の発明は、前記制御部は前記通信に使用する電波の波長に対応して前記給電点コントローラと前記接続コントローラとの制御を行う、請求項１から請求項３の何れか１項に記載の携帯情報装置である。
【００２３】
このような構成を採用することによって、通信に各種波長の電波が使用される時にも、また、その電波の周波数が予め分かっている時にも、その電波の周波数が予定なく変更される場合にも、常に、良好な電波を送受信することが可能になる。
【００２４】
本特許出願に係る請求項５に記載の発明は、前記通信は、無線ＬＡＮによる通信、ｂｌｕｅｔｏｏｔｈによる通信、携帯電話のための通信、近距離無線通信による通信、テレビ放送の受信、の１つまたは複数である、請求項１から請求項４の何れか１項に記載の携帯情報装置である。
【００２５】
このような構成を採用することによって、操作者が手で掴んで使用、操作した場合でも、アンテナが操作者の手や指によって覆われたり陰になってしまうことがなく、常に、無線ＬＡＮによる通信、ｂｌｕｅｔｏｏｔｈによる通信、携帯電話のための通信、近距離無線通信による通信をすることが可能で、その中でも例えば、良好なテレビ放送電波を受信することができ、鮮明なテレビ放送番組を表示することも可能になる。
【発明の効果】
【００２６】
本発明によると、操作者の手の指で掴んで使用、操作された場合でも、アンテナが操作者の手や指によって覆われたり陰になってしまうことがなく、常に、正常なテレビ放送電波を受信することが可能で、鮮明なテレビ放送番組を表示することが可能になる。
【００２７】
また、簡単な構成で、各種波長の電波の送受信に最も適した長さのアンテナを使用して電波の送受信を行うことも可能になる。
【発明を実施するための最良の形態】
【００２８】
（第１の実施の形態）
以下に、本発明の第１の実施の形態について、図を参照しながら説明する。
【００２９】
図１は、本発明に係る携帯情報装置の第１の実施の形態であるカード型テレビ１００の主要部のブロック構成図である。
【００３０】
カード型テレビ１００の主要部は、アンテナユニット１０５と、アンテナ接続スイッチ１０７と、接続コントローラ１０３と、給電点コントローラ１０４と、通信部１０８と、制御部１０９と、画像表示部１０１と、操作部１０６とから構成されている。カード型テレビ１００は、これら以外にもケース（図１には図示しないが、図２にはケース１０２として図示している）や電源（図示せず）やその他の多くの部分を備えているが、本発明の本質とは直接関連しないので図示を省略している。
【００３１】
また、制御部１０９は、ノイズの除去や増幅、選局、復号化、画像処理等を行う多くの部分から構成されているが、これらの内容の詳細についても、本発明の本質とは直接関連しないので図示を省略している。
【００３２】
アンテナユニット１０５は、アンテナを構成する材料であるチタンやニッケル合金に端子を付けた複数の小片から構成されていても構わないし、樹脂やセラミックなどのプリント配線基板上に銅を始めとする金属箔のパターンで、アンテナパターンとして構成しても構わない。
【００３３】
そして、このアンテナユニット１０５を構成する小片は、例えば図２に示すように、カード型テレビ１００のケース１０２の内部で画像表示部１０１の周囲を取り囲むように配置されている。図２では、ケース１０２の上辺と下辺に沿ってアンテナユニット１０５が１３個配置され、ケース１０２の右辺と左辺に沿ってアンテナユニット１０５が１１個配置されているが、この大きさや数はあくまでも一例であって、この大きさや数に限るものではなく、また、この図２のような配置や形状に限るものでもない。
【００３４】
アンテナユニット１０５が画像表示部１０１の周囲を取り囲むように、ケース１０２の内側の周囲に配置するのは、ケース１０２の１つの面を最大限画像表示部１０１として使用することによって、全体の大きさに対する画像表示部１０１の大きさを最大限確保し、なおかつ全体の大きさを最大限抑えるためである。
【００３５】
なお、このアンテナユニット１０５を構成する小片の大きさは、それが複数集まってアンテナを構成し、この構成されるアンテナ長を、電波の周波数とアンテナ材料の比誘電率とから計算される理論上の長さとなるべく等しくするには、小さいほうが好ましいが、余りに小さいと制御が複雑になる。また、このアンテナユニット１０５を構成するそれぞれの小片の大きさは、異なっていても構わないが、余りにばらばらでは制御が複雑になる。どのアンテナユニットをも自由に選択しやすいことを優先するなら、全ての小片の大きさを等しくすることが好ましい。また、予め想定される電波の周波数を基準に、この周波数に適合できるアンテナユニットの長さの組み合わせを準備しておくことも可能である。この手法では、電波の各周波数に対して、予め用意されたアンテナユニットの組み合わせから、その周波数に適合するものを選択することになるので、制御は簡単になるが、どのアンテナユニットをも自由に選択することは困難になる。
【００３６】
なお、構成されるアンテナの長さが、電波の周波数に適合するとは、良好な受信をするのに必要な電波強度（あるいは受信電力等）を得ることができることを言い、良好な受信ができるのに必要なＣ／Ｎ比（あるいはＳ／Ｎ比）を得ることができるように、アンテナの物理長や方向、位置、インピーダンス等を制御することが目的である。
【００３７】
上記の通り、このアンテナユニット１０５を構成する小片にはそれぞれ端子が付され、隣接するアンテナユニット１０５の端子同士はアンテナ接続スイッチ１０７によって接続されている。この状態を図３に示す。図３では、アンテナユニット１０５が上下左右にそれぞれ、６、４、６、４個配置され、合計１６個配置されているが、このような数や配置状態もあくまでも一例であり、このような数や配置状態に限るものではない。
【００３８】
アンテナ接続スイッチ１０７のそれぞれの制御端子は接続コントローラ１０３に接続され、アンテナ接続スイッチ１０７の全てのスイッチのオンオフは、接続コントローラ１０３が制御する。なお、このアンテナ接続スイッチ１０７のオンオフは、例えばＦＥＴ（Ｆｅｉｌｄ  Ｅｆｆｅｃｔ  Ｔｒａｎｓｉｓｔｏｒ：電界効果トランジスタ）等を使って、高周波的に接続と開放とを切り換えるものであっても構わないし、その他の方法で接続と開放とを切り換えるものであっても構わない。
【００３９】
また、図３及び上記説明では、隣接するアンテナユニット１０５の端子同士がアンテナ接続スイッチ１０７によって接続されているとしたが、これも一例であって、隣接するアンテナユニット１０５以外のアンテナユニット１０５の端子同士が、アンテナ接続スイッチ１０７によって接続されていても構わない。
【００４０】
アンテナユニット１０５を構成する小片には、給電のための端子も付されており、この給電のための端子は、給電点コントローラ１０４に接続されている。この状態を図４に示す。そして、どの端子を給電点として選択し、給電を行うかは、給電点コントローラ１０４によって決定されて実行される。給電点コントローラ１０４は、このように給電点を制御することによって、アンテナのインピーダンスを最適なものとすることができる。なお、上記、アンテナユニット１０５の隣接するもの同士を接続するための端子と給電のための端子とは兼用のものであっても構わない。
【００４１】
通信部１０８は、給電点コントローラ１０４によって決定された給電点を経由して、アンテナ接続スイッチ１０７によって、この給電点として決定されたアンテナユニット１０５と接続されているアンテナユニット１０５をアンテナとして使用して、テレビ放送電波を受信する。
【００４２】
通信部１０８によって受信されたテレビ放送電波は、制御部１０９へ送られ、制御部１０９で、ノイズの除去や増幅、選局、復号化、画像処理等の処理と制御が実行される。なお、これらの処理の幾らかは通信部１０８によって実行されても構わない。
【００４３】
制御部１０９における制御は、操作部１０６を使って行われたユーザによる操作、例えばチャンネルの選択や音量の調整、画質の調整等に従って行われ、画像処理された結果は画像表示部１０１に表示される。画像表示部１０１は、例えば液晶表示パネルであったり、有機ＥＬディスプレイである。
【００４４】
また、制御部１０９は、通信部１０８によって受信されたテレビ放送電波が、適切なものであるかをモニタする。そして、通信部１０８によって受信されたテレビ放送電波が適切なものでなかったならば、接続コントローラ１０３や給電点コントローラ１０４に対して、アンテナ接続スイッチ１０７によるアンテナユニット１０５の接続の変更切換や、給電点コントローラ１０４による給電点として選択するアンテナユニット１０５の変更を実行するように、制御を行う。
【００４５】
そして、このアンテナ接続スイッチ１０７によるアンテナユニット１０５の接続の変更切換や、給電点コントローラ１０４による給電点として選択するアンテナユニット１０５の変更を、通信部１０８によって受信されたテレビ放送電波が適切なものとなるまで、繰り返し実行する。
【００４６】
例えば、図５に示すように、このカード型テレビ１００を操作者の手１１０が掴んで使用し、操作部１０６ａと操作部１０６ｂとの操作を行っていた、と仮定する。
【００４７】
このような仮定の下では、画像表示部１０１の左側は、操作者の手１１０に近く、もしもアンテナが画像表示部１０１の左側にあると、操作者の手１１０の陰になったり、テレビ放送電波が妨害されて、アンテナユニット１０５によるテレビ放送電波の受信に支障を生じ、正常なテレビ放送電波を受信することが困難で、鮮明なテレビ放送番組を画像表示部１０１に表示することができなくなる可能性がある。
【００４８】
そこで、制御部１０９は、通信部１０８によって受信されたテレビ放送電波が、適切なものであるかをモニタし、そして、通信部１０８によって受信されたテレビ放送電波が適切なものでなかったならば、接続コントローラ１０３や給電点コントローラ１０４に対して、アンテナ接続スイッチ１０７によるアンテナユニット１０５の接続の変更切換や、給電点コントローラ１０４による給電点として選択するアンテナユニット１０５の変更を実行するように、制御を行う。これを、通信部１０８によって受信されたテレビ放送電波が適切なものとなるまで、繰り返し実行する。その結果、例えば、図６に示すように、アンテナユニット２とアンテナユニット３との間のアンテナ接続スイッチをオフし、アンテナユニット３とアンテナユニット４との間のアンテナ接続スイッチ、アンテナユニット４とアンテナユニット５との間のアンテナ接続スイッチ、アンテナユニット５とアンテナユニット６との間のアンテナ接続スイッチの３つをオンに制御する。また、アンテナユニット６とアンテナユニット７との間のアンテナ接続スイッチをオフに制御する。これによって、アンテナユニット３からアンテナユニット６までの４つのアンテナユニット１０５で１つのアンテナを構成することができる。このアンテナの給電点は、給電点コントローラ１０４によってアンテナユニット３になるように制御する。
【００４９】
同様に、アンテナユニット１３とアンテナユニット１２との間のアンテナ接続スイッチをオフし、アンテナユニット１２とアンテナユニット１１との間のアンテナ接続スイッチ、アンテナユニット１１とアンテナユニット１０との間のアンテナ接続スイッチ、アンテナユニット１０とアンテナユニット９との間のアンテナ接続スイッチの３つをオンに制御する。また、アンテナユニット９とアンテナユニット８との間のアンテナ接続スイッチをオフに制御する。これによって、アンテナユニット１２からアンテナユニット９までの４つのアンテナユニット１０５で１つのアンテナを構成することができる。このアンテナの給電点は、給電点コントローラ１０４によってアンテナユニット１２になるように制御する。
【００５０】
制御部１０９がこのように制御することによって、右上部と右下部とにあたかも２つの固定されたアンテナが存在するかのように構成することができる。この状態を図７に示す。
【００５１】
上記のように、アンテナユニット３からアンテナユニット６までの４つのアンテナユニット１０５で構成され、給電点をアンテナユニット３に設定されたのが、仮想的な固定された１つのアンテナ１２１ａに相当し、アンテナユニット１２からアンテナユニット９までの４つのアンテナユニット１０５で構成され、給電点をアンテナユニット１２に設定されたのが、仮想的な固定された１つのアンテナ１２１ｂに相当する。そして、これらの２つの仮想的な固定されたアンテナ１２１は、画像表示部１０１の右側に偏って配置されているので、操作者の手１１０の影響をうけることがなく、操作者の手１１０の陰になったり、テレビ放送電波が妨害されて、アンテナユニット１０５によるテレビ放送電波の受信に支障を生じることもない。
【００５２】
あるいはまた、他の例によると、図８に示すように、操作者の手１１０が、ケース１０２の下方からケース１０２の前面と後面とを挟むように把持して使用し、操作部１０６の操作が行われていたと仮定する。ケース１０２の前面はほぼ全面が画像表示部１０１になっているので、通常はこのようにケース１０２の前面と後面とを挟むように把持して使用するケースは考えられないが、何らかの事情によって、このような使用がされることも全くないということはできない。そして、このような想定外の使用が行われた時にも、本発明によると、アンテナが操作者の手１１０の影響をうけることがなく、操作者の手１１０の陰になったり、テレビ放送電波が妨害されて、アンテナユニット１０５によるテレビ放送電波の受信に支障を生じることがない。
【００５３】
そのために、例えば、図３に示す接続コントローラによって、アンテナユニット１６とアンテナユニット１との間のアンテナ接続スイッチ、アンテナユニット３とアンテナユニット４との間のアンテナ接続スイッチ、アンテナユニット６とアンテナユニット７との間のアンテナ接続スイッチの３つの、アンテナ接続スイッチ１０７がオフに設定され、アンテナユニット１とアンテナユニット２との間のアンテナ接続スイッチ、アンテナユニット２とアンテナユニット３との間のアンテナ接続スイッチ、アンテナユニット４とアンテナユニット５との間のアンテナ接続スイッチ、アンテナユニット５とアンテナユニット６との間のアンテナ接続スイッチの４つの、アンテナ接続スイッチ１０７がオンに制御される。
【００５４】
制御部１０９がこのように制御することによって、左上部と右上部とにあたかも２つの固定されたアンテナが存在するかのように構成することができる。この状態を図８に示す。
【００５５】
このアンテナの給電点は、給電点コントローラ１０４によってアンテナユニット３とアンテナユニット４とになるように制御する。
【００５６】
上記のように、アンテナユニット１からアンテナユニット３までの３つのアンテナユニット１０５で構成され、給電点をアンテナユニット３に設定されたのが、仮想的な固定された１つのアンテナ１２３ａに相当し、アンテナユニット４からアンテナユニット６までの３つのアンテナユニット１０５で構成され、給電点をアンテナユニット４に設定されたのが、仮想的な固定された１つのアンテナ１２３ｂに相当する。そして、これらの２つの仮想的な固定されたアンテナ１２３は、画像表示部１０１の上側に偏って配置されているので、操作者の手１１０の影響をうけることがなく、操作者の手１１０の陰になったり、テレビ放送電波が妨害されて、アンテナユニット１０５によるテレビ放送電波の受信に支障を生じることもない。
【００５７】
なお、ここで示す例で、図７に示す仮想的な固定されたアンテナ１２１ａと仮想的なアンテナ１２１ｂとはそれぞれアンテナユニット１０５が４つずつで構成され、図８に示す仮想的な固定されたアンテナ１２３ａと仮想的なアンテナ１２３ｂとはそれぞれアンテナユニット１０５が３つずつで構成されているので、適応できるテレビ放送電波の周波数が変わるようにも思われるが、これは図示する都合でアンテナユニット１０５の大きさを大きく描き、アンテナユニット１０５の数をそれほど多くしなかったために、説明に使用できるアンテナユニット１０５の数が少なくなったためであって、アンテナユニット１０５の１つ１つをより小さなものとして、配列するアンテナユニット１０５の数をより多くすれば、このような問題は生じない。
【００５８】
（第２の実施の形態）
以下に、本発明の第２の実施の形態について、図を参照しながら説明する。本発明の第２の実施の形態は、多くの点について本発明の第１の実施の形態と同様であるから、本発明の第１の実施の形態と同様の部分については簡略化のため説明を省略し、本発明の第２の実施の形態が本発明の第１の実施の形態と異なる部分についてのみ説明をする。
【００５９】
従って、本発明の第２の実施の形態について、特に説明をしない部分については、基本的に本発明の第１の実施の形態と同様である。
【００６０】
また、図１から図８に関しても、特に断らない限り、本発明の第２の実施の形態でも本発明の第１の実施の形態と同様であり、特に断らない限り図面を兼用して説明をする。
【００６１】
本発明の第１の実施の形態では、カード型テレビ１００が操作者の手１１０で把持されて使用され操作された時に、操作者の手１１０の影響をうけることがなく、操作者の手１１０の陰になったり、テレビ放送電波が妨害されて、アンテナユニット１０５によるテレビ放送電波の受信に支障を生じることがないように、制御部１０９の制御によって、接続コントローラ１０３がアンテナ接続スイッチ１０７の接続を切り換え、給電点コントローラ１０４が給電点を切り換え、アンテナとして使用するアンテナユニット１０５を変更するものであった。
【００６２】
本発明の第２の実施の形態は、制御部１０９の制御によって、接続コントローラ１０３がアンテナ接続スイッチ１０７の接続を切り換え、給電点コントローラ１０４が給電点を切り換え、接続されるアンテナユニット１０５を変更することによって、予め長さの異なる複数の仮想的な固定されたアンテナを用意しておくことによって、種々の波長の電波を良好な感度で送受信しようとするものである。
【００６３】
一例を図９に示すように、ケース１０２の左上の画像表示部１０１の周辺には、最も長い仮想的な固定されたアンテナ１２５ａを配置し、ケース１０２の右上の画像表示部１０１の周辺には、最も短い仮想的な固定されたアンテナ１２５ｂを配置する。
【００６４】
ケース１０２の左下の画像表示部１０１の周辺には、やや長い仮想的な固定されたアンテナ１２５ｃを配置し、ケース１０２の右下の画像表示部１０１の周辺には、やや短い仮想的な固定されたアンテナ１２５ｄを配置する。このような、仮想的な固定されたアンテナを配置するには、例えば、図３に示す、アンテナユニット１５とアンテナユニット１６との間のアンテナ接続スイッチ１０７、アンテナユニット４とアンテナユニット５との間のアンテナ接続スイッチ１０７、アンテナユニット６とアンテナユニット７との間のアンテナ接続スイッチ１０７、アンテナユニット１２とアンテナユニット１１との間のアンテナ接続スイッチ１０７、アンテナユニット９とアンテナユニット８との間のアンテナ接続スイッチ１０７、の５つのアンテナ接続スイッチ１０７をオフにする。
【００６５】
そして、アンテナユニット１６とアンテナユニット１との間のアンテナ接続スイッチ１０７、アンテナユニット１とアンテナユニット２との間のアンテナ接続スイッチ１０７、アンテナユニット２とアンテナユニット３との間のアンテナ接続スイッチ１０７、アンテナユニット３とアンテナユニット４との間のアンテナ接続スイッチ１０７、アンテナユニット５とアンテナユニット６との間のアンテナ接続スイッチ１０７、アンテナユニット１５とアンテナユニット１６との間のアンテナ接続スイッチ１０７、アンテナユニット１５とアンテナユニット１４との間のアンテナ接続スイッチ１０７、アンテナユニット１４とアンテナユニット１３との間のアンテナ接続スイッチ１０７、アンテナユニット１３とアンテナユニット１２との間のアンテナ接続スイッチ１０７、アンテナユニット１１とアンテナユニット１０との間のアンテナ接続スイッチ１０７、アンテナユニット１０とアンテナユニット９との間のアンテナ接続スイッチ１０７、の１１のアンテナ接続スイッチ１０７をオフにする。
【００６６】
また、給電点コントローラ１０４は、アンテナユニット４と、アンテナユニット５と、アンテナユニット１２と、アンテナユニット１１とを、給電点となるように制御する。
【００６７】
制御部１０９が、このように制御することによって、アンテナユニット１６、アンテナユニット１、アンテナユニット２、アンテナユニット３、アンテナユニット４、の５つのアンテナユニット１０５を１つの仮想的な固定されたアンテナユニットとして、仮想的なアンテナ１２５ａを構成することができる。この仮想的なアンテナ１２５ａは、アンテナユニット１０５が５つで構成されているので、上記最も長いアンテナに相当する。また、アンテナユニット１５、アンテナユニット１４、アンテナユニット１３、アンテナユニット１２、の４つのアンテナユニット１０５を１つの仮想的な固定されたアンテナユニットとして、仮想的なアンテナ１２５ｃを構成することができる。この仮想的なアンテナ１２５ｃは、アンテナユニット１０５が４つで構成されているので、上記やや長いアンテナに相当する。
【００６８】
次に、アンテナユニット１１、アンテナユニット１０、アンテナユニット９、の３つのアンテナユニット１０５を１つの仮想的な固定されたアンテナユニットとして、仮想的なアンテナ１２５ｄを構成することができる。この仮想的なアンテナ１２５ｄは、アンテナユニット１０５が３つで構成されているので、上記やや短いアンテナに相当する。さらに、アンテナユニット５、アンテナユニット６、の２つのアンテナユニット１０５を１つの仮想的な固定されたアンテナユニットとして、仮想的なアンテナ１２５ｂを構成することができる。この仮想的なアンテナ１２５ｂは、アンテナユニット１０５が２つで構成されているので、上記最も短いアンテナに相当する。
【００６９】
このように、制御部１０９の制御によって、接続コントローラ１０３がアンテナ接続スイッチ１０７の接続を切り換え、給電点コントローラ１０４が給電点を切り換え、接続されるアンテナユニット１０５を変更することによって、予め長さの異なる複数の仮想的な固定されたアンテナを用意しておくことによって、複数の周波数の電波に対応しても構わないし、あるいは、制御部１０９が通信部１０８における通信状況をモニタしながら制御を行い、接続コントローラ１０３によってアンテナ接続スイッチ１０７の接続を切り換え、給電点コントローラ１０４によって給電点を切り換え、接続されるアンテナユニット１０５の長さや給電点の位置を変更することによって、複数の周波数の電波に対応して、最も適切な長さと方向のアンテナを構成しても構わない。
【００７０】
また、この後者の方法によると、複数の周波数の電波に対応するだけでなく、本発明の第１の実施の形態のように、操作者の手によって受ける電波の受信状況の変化に対応することもできるし、その他、電波の送信局の方向や距離、電波の出力状況や搬送状況、その他の各種状況に対応して、最も通信状況が良くなる状態に設定することができる。
【産業上の利用可能性】
【００７１】
本発明によると、操作者の手の指で掴んで使用、操作された場合でも、アンテナが操作者の手や指によって覆われたり陰になってしまうことがなく、常に、正常なテレビ放送電波を受信することが可能で、鮮明なテレビ放送番組を表示することが可能になるうえに、簡単な構成で、各種波長の電波の送受信に最も適した長さのアンテナを使用して電波の送受信を行うことも可能になり、その産業上の利用可能性は極めて大きい。
【図面の簡単な説明】
【００７２】
【図１】本発明の第１の実施の形態であるカード型テレビの主要部のブロック構成図
【図２】本発明の第１の実施の形態であるカード型テレビの外観図
【図３】本発明の第１の実施の形態におけるアンテナユニット、アンテナ接続スイッチ、接続コントローラの接続図
【図４】本発明の第１の実施の形態におけるアンテナユニットと給電点コントローラの接続図
【図５】本発明の第１の実施の形態であるカード型テレビの操作時の形態図
【図６】本発明の第１の実施の形態におけるアンテナ接続スイッチの接続例を示す図
【図７】本発明の第１の実施の形態における仮想的なアンテナの構成例を示す図
【図８】本発明の第１の実施の形態における仮想的なアンテナの他の構成例を示す図
【図９】本発明の第１の実施の形態において仮想的なアンテナを複数構成する例を示す図
【図１０】従来の携帯型テレビの操作時の形態図
【符号の説明】
【００７３】
１００    カード型テレビ
１０１，９０１    画像表示部
１０２，９０２    ケース
１０３    接続コントローラ
１０４    給電点コントローラ
１０５    アンテナユニット
１０６，１０６ａ，１０６ｂ    操作部
１０７    アンテナ接続スイッチ
１０８    通信部
１０９    制御部
１１０，９１０    操作者の手
１２１ａ，１２１ｂ，１２３ａ，１２３ｂ，１２５ａ，１２５ｂ，１２５ｃ，１２５ｄ    仮想的なアンテナ
９００    携帯型テレビ
９０９    アンテナ
【図１】
2007142921.tif 000003
【図２】
2007142921.tif 000004
【図３】
2007142921.tif 000005
【図４】
2007142921.tif 000006
【図５】
2007142921.tif 000007
【図６】
2007142921.tif 000008
【図７】
2007142921.tif 000009
【図８】
2007142921.tif 000010
【図９】
2007142921.tif 000011
【図１０】
2007142921.tif 000012